(57)【特許請求の範囲】
【請求項１】
扉体と吊元側竪枠を備え、扉体は、吊元側竪枠との間に間隙を設けて回動可能に連結してあると共に、中空部と、屋内側壁部及び吊元側見込み壁部に夫々設けた通気孔と、中空部から屋内側への通気経路を開閉する開閉機構を有し、且つ吊元側見込み壁部の通気孔よりも屋内側の吊元側端部に、吊元側竪枠の内周側に設けた被係合部に係脱自在な吊元側係合部を有することを特徴とする扉装置。
【請求項２】
扉体は、吊元側見込み壁部の通気孔よりも屋内側の吊元側端部が、吊元側竪枠に設けたタイト材に当接していることを特徴とする請求項１に記載の扉装置。
【請求項３】
扉体と吊元側竪枠を備え、扉体は、吊元側竪枠との間に間隙を設けて回動可能に連結してあると共に、中空部と、屋内側壁部及び吊元側見込み壁部に夫々設けた通気孔と、中空部から屋内側への通気経路を開閉する開閉機構と、屋内側に着脱可能なカバー材を備えると共に、屋内側壁部とカバー材との間に開閉機構を収容しており、カバー材は、開閉機構とともに通気経路を構成する開口部を有していることを特徴とする扉装置。
【請求項４】
扉体は、戸先屋内側に断熱材を介して連結した戸先側屋内部材を有し、吊元側竪枠は、屋内側に断熱材を介して連結した吊元側屋内部材を有し、吊元側屋内部材は、被係合部を有し、カバー材は、戸先側屋内部材に設けた被係合部と係脱自在な戸先側係合部と、吊元側屋内部材に設けた被係合部と係脱自在な吊元側係合部を有することを特徴とする請求項３に記載の扉装置。
【請求項５】
吊元側屋内部材は、カバー材の吊元側係合部に対して断面コ字形状の被係合部を有していることを特徴とする請求項４に記載の扉装置。
【発明の詳細な説明】
【技術分野】
【０００１】
本発明は、扉体と扉体支持用の竪枠を含む扉装置に関し、とくに、通風機能を備えた扉装置の改良に関するものである。
【背景技術】
【０００２】
従来において、通風機能を備えた扉装置としては、主扉又は主扉に併設した袖扉に、可動ルーバーの如き開閉可能な通気部を設けたものや、主扉に併設した袖パネルに開閉可能な通気部を設けたもの（例えば、特許文献１参照）が周知である。
【特許文献１】特開２０００−７３６７１号公報
【発明の開示】
【発明が解決しようとする課題】
【０００３】
しかしながら、上記したような従来の扉装置では、いずれも扉や袖パネルの屋外面に外気導入用の通気孔を設けていたため、この通気孔が目立って外観上好ましくない場合があるというという問題点があり、このような問題点を解決することが課題であった。
【０００４】
本発明は、上記従来の課題に着目して成されたものであって、充分な通風機能を備えたうえで、屋外側の外観体裁を高めることができる扉装置を提供することを目的としている。
【課題を解決するための手段】
【０００５】
本発明の扉装置は、請求項１として、扉体と吊元側竪枠を備え、扉体は、吊元側竪枠との間に間隙を設けて回動可能に連結してあると共に、中空部と、屋内側壁部及び吊元側見込み壁部に夫々設けた通気孔と、中空部から屋内側への通気経路を開閉する開閉機構を有し、且つ吊元側見込み壁部の通気孔よりも屋内側の吊元側端部に、吊元側竪枠の内周側に設けた被係合部に係脱自在な吊元側係合部を有する構成としており、上記構成をもって従来の課題を解決するための手段としている。
【０００６】
また、本発明の扉装置は、請求項２として、扉体は、吊元側見込み壁部の通気孔よりも屋内側の吊元側端部が、吊元側竪枠に設けたタイト材に当接していることを特徴とし、請求項３として、扉体と吊元側竪枠を備え、扉体は、吊元側竪枠との間に間隙を設けて回動可能に連結してあると共に、中空部と、屋内側壁部及び吊元側見込み壁部に夫々設けた通気孔と、中空部から屋内側への通気経路を開閉する開閉機構と、屋内側に着脱可能なカバー材を備えると共に、屋内側壁部とカバー材との間に開閉機構を収容しており、カバー材は、開閉機構とともに通気経路を構成する開口部を有していることを特徴とし、請求項４として、扉体は、戸先屋内側に断熱材を介して連結した戸先側屋内部材を有し、吊元側竪枠は、屋内側に断熱材を介して連結した吊元側屋内部材を有し、吊元側屋内部材は、被係合部を有し、カバー材は、戸先側屋内部材に設けた被係合部と係脱自在な戸先側係合部と、吊元側屋内部材に設けた被係合部と係脱自在な吊元側係合部を有することを特徴とし、請求項５として、吊元側屋内部材は、カバー材の吊元側係合部に対して断面コ字形状の被係合部を有していることを特徴としている。
【発明の効果】
【０００７】
本発明の請求項１の扉装置は、扉体と吊元側竪枠との間隙、扉体の吊元側見込み壁部の通気孔、扉体の中空部、扉体の屋内側壁部の通気孔、及び開閉機構により、屋外から屋内に至る通気経路を形成し、屋外面における通気経路の構成は扉体と吊元側竪枠との間隙のみであるから、従来の通気孔のように目立つことが全く無く、充分な通風機能を備えたうえで、屋外側の外観体裁を大幅に高めることができる。
【０００８】
また、上記の扉装置は、扉体の吊元側端部の係合部と、吊元側竪枠の内周側の被係合部との係合により、屋外側から導入した外気が通気経路以外に流れるのを阻止して、通気経路による換気効率をより高めることができると共に、扉体を閉じた位置に維持することができる。
【０００９】
本発明の請求項２の扉装置は、請求項１と同等の効果を得ることができるうえに、タイト材により、屋外側から導入した外気が通気経路以外に流れるのを阻止して、通気経路による換気効率をより高めることができる。
【００１０】
本発明の請求項３の扉装置は、扉体と吊元側竪枠との間隙、扉体の吊元側見込み壁部の通気孔、扉体の中空部、扉体の屋内側壁部の通気孔、及び開閉機構により、屋外から屋内に至る通気経路を形成し、屋外面における通気経路の構成は扉体と吊元側竪枠との間隙のみであるから、従来の通気孔のように目立つことが全く無く、充分な通風機能を備えたうえで、屋外側の外観体裁を大幅に高めることができる。また、カバー材により、屋内面の意匠性を大幅に高めることができると共に、カバー材を着脱可能としたことで、開閉機構のメンテナンス等にも容易に対処することができる。
【００１１】
本発明の請求項４の扉装置は、請求項３と同等の効果を得ることができるうえに、屋内外の断熱性能をより高めることができ、空調の高効率化などに貢献することができる。
【００１２】
本発明の請求項５の扉装置は、請求項４と同等の効果を得ることができるうえに、吊元側屋内部材の被係合部において、断面コ字形状を形成する対向片の弾性変形により、カバー材の係脱を容易にすると共に、係合状態を確実に維持することができる。
【発明を実施するための最良の形態】
【００１３】
以下、図面に基づいて、本発明の扉装置の一実施形態を説明する。
図２に示す扉装置は、いわゆる玄関ドアユニットであって、ドア枠１内に、扉体である回動操作式の主扉２と、同じく扉体である回動操作式の袖扉３を備えており、この実施形態では、袖扉３が通風機能を有するものとなっている。
【００１４】
主扉２及び袖扉３は、図１に示すように、ドア枠１に固定した吊元側竪枠１０，１１に、夫々のヒンジ１２を介して回動可能に連結してある。とくに、袖扉３は、吊元側竪枠１１との間に、上下方向にわたる間隙１３を形成している。
【００１５】
ドア枠１は、図１及び図５に示すように、ドア上枠１Ａ，ドア下枠１Ｂ、及び左右のドア竪枠Ｃ，Ｃを備え、ドア竪枠Ｃ，Ｃに吊元側竪枠１０，１１が連結してある。
【００１６】
袖扉３は、扁平な中空部１４を有する部材を主体とし、中空部１４を形成する屋外側壁部３Ａ、屋内側壁部３Ｂ、吊元側見込み壁部３Ｃ、及び戸先側見込み壁部３Ｄを有している。また、吊元側見込み壁部３Ｃには、屋外側及び屋内側の突片３Ｅ，３Ｆが形成してあり、屋外面において、屋外側突片３Ｅと吊元側竪枠１１との間で先の間隙１３を形成すると共に、屋外側突片３Ｅによりヒンジ１２の大半を覆い隠して、屋外面の外観体裁をより高めている。
【００１７】
そして、袖扉３は、図３に示すように、屋内側壁部３Ｂ及び吊元側見込み壁部３Ｃに、適数の通気孔１５，１６を夫々備えており、屋内側壁部３Ｂの屋内側には、中空部１４から屋内側への通気経路を開閉する開閉機構１７を備えている。
【００１８】
開閉機構１７は、屋内側に開口された換気口（図示せず）と、この換気口を開閉する移動板１７Ａと、移動板１７Ａを操作する操作部１７Ｂと、操作部１７Ｂの上下方向の動作を移動板１７Ａの屋内外方向の動作に変換する伝達機構（図示せず）を備えている。図３に示す開閉機構１７は開放状態であり、閉塞時には移動板１７Ａが屋内側に移動する。
【００１９】
さらに、袖扉３は、屋内側に着脱可能なカバー材１８を備えており、屋内側壁部３Ｂとカバー材１８との間に開閉機構１７を収容している。カバー材１８は、図４に裏面を示すように、開閉機構１７とともに通気経路を形成する開口部１９と、開閉機構１７の操作部１７Ｂに対応する通し穴２０が形成してある。この実施形態の開口部１９は、多数のスリットを一定間隔で形成したスリット群で構成してある。
【００２０】
また、扉装置は、袖扉３の吊元側見込み壁部３Ｃの通気孔１６よりも屋内側の吊元側端部と吊元側竪枠１１との間にタイト材２１を備えている。ここで、この実施形態の扉装置では、袖扉３の戸先屋内側に戸先側屋内部材２２が設けてあると共に、吊元側竪枠１１の屋内側に吊元側屋内部材２３が設けてある。そして、実質的に吊元側竪枠１１の一部である吊元側屋内部材２３に、袖扉３の屋内吊元側端部に接触する先のタイト材２１が装着してあると共に、戸先側及び吊元側の屋内部材２２，２３に対して先のカバー材１８を装着する。
【００２１】
さらに、扉装置は、図５に示すように、ドア枠１を構成するドア上枠１Ａ及びドア下枠１Ｂにも、その長手方向にわたって屋外向きのタイト材２１Ａ，２１Ｂが設けてある。これらのタイト材２１Ａ，３２１Ｂは、袖扉３の屋内面の上辺部分及び下辺部分に沿って当接すると共に、端部において吊元側屋内部材２３のタイト材２１の上端部及び下端部に夫々連続して、扉装置の気密性をより高めている。
【００２２】
戸先側屋内部材２２は、袖扉３の戸先屋内側に、断熱材２４を介して連結してあり、屋内向きの竪片をカバー材１８に対する被係合部２２Ａとしている。また、吊元側屋内部材２３は、吊元側竪枠１１の屋内側に、同じく断熱材２５を介して連結してあり、戸先方向（図１中で右方向）に開放した断面コ字形状の溝部分をカバー材１８に対する被係合部２３Ａとしている。
【００２３】
カバー材１８は、図３及び図４にも断面を示すように、戸先側となる端部に、屋外向きの一対の突片を設けて、これを戸先側屋内部材２２の被係合部２２Ａに対する戸先側係合部１８Ａとし、また、吊元側となる端部に、断面略Ｖ字形状となる折り返し部を設けて、これを吊元側屋内部材２３の被係合部２３Ａに対する吊元側係合部１８Ｂとしている。
【００２４】
そして、上記のカバー材１８は、吊元側屋内部材２３の被係合部２３Ａに吊元側係合部１８Ｂを係合し、次いで、戸先側屋内部材２２の被係合部２２Ａに戸先側係合部１８Ａを係合することで、袖扉３に対して容易に且つ確実に装着することができる。
【００２５】
ここで、この実施形態の扉装置は、常態においては、袖扉３を固定して袖パネルのように用いるものとなっている。すなわち、図示の袖扉３は、吊元側竪枠１１に回動可能に連結してあるので、勿論、開閉操作をすることができるが、閉じた状態で若干下降し得る構造になっていて、この際、図５に示すように、袖扉３の下端面に設けた閉塞部材２６をドア下枠１Ｂの上面に当接させることで、気密性を確保しつつ閉じた状態を安定して維持する。
【００２６】
このようにして、扉装置は、落し棒等の手段を用いずに袖扉３を閉じた位置で固定状態にし得るので、袖パネルとしての役割をも有するものとなり、主扉２を施錠した場合には、がたつき等を生じることなく施錠状態を強固に維持することができる。
【００２７】
また、扉装置は、袖扉３を若干上昇させてから屋内外に回動させることで、玄関ドアユニットの開口面積を拡大することができる。この際、図示の扉装置は、カバー材１８が、袖扉３の戸先側屋内部材２２と吊元側竪枠１１の吊元側屋内部材２３との係合しているので、袖扉３を屋外側へ回動させると、吊元側屋内部材２３の被係合部２３Ａからカバー材１８の吊元側係合部１８Ｂが外れることになるが、外れることでカバー材１８の変形や破損を未然に防止することができる。
【００２８】
上記構成を備えた扉装置は、図１中に矢印で示すように、袖扉３と吊元側竪枠１１との間隙１３、袖扉３の吊元側見込み壁部３Ｃの通気孔１６、袖扉３の中空部１４、袖扉３の屋内側壁部３Ｂの通気孔１５、開閉機構１７、及びカバー材１８の開口部１９により、屋外から屋内へ至る通気経路を形成し、開閉機構１７を操作することで、通気経路を選択的に開閉することができる。
【００２９】
そして、扉装置は、屋外面における通気経路の構成は袖扉３と吊元側竪枠１１との間隙１３のみであるから、従来の通気孔のように目立つことが全く無く、充分な通風機能を備えたうえで、屋外側の外観体裁を大幅に高めることができる。
【００３０】
ところで、本発明の扉装置は、通風機能を有することが特徴であるが、この種の扉装置では、例えば図１に示す構成において通気孔１５，１６や開閉機構１７が無いものもある。この場合には、開口部１９の無いカバー材１８で屋内側を塞ぐ構成にすることも可能である。本発明の扉装置は、通風機能を備えたうえで、開閉機構等が無い扉装置と全く同等の外観意匠にすることができるので、様々なバリエーションが要求される扉装置全体の選択性の向上にも貢献することができる。すなわち、部材の兼用化を図りつつ、通風機能を有するものと有しないものを簡単に選択自在にできる。
【００３１】
また、扉装置は、袖扉３の屋内側の吊元側端部に、吊元側竪枠１１の内周側に設けた被係合部に係脱自在な係合部を有しており、この実施形態の具体的構成として、袖扉３に設けたカバー材１８の吊元側係合部１８Ｂと、吊元側竪枠１１の吊元側屋内部材２３の被係合部２３Ａとを係合させたことにより、屋外側から導入した外気が通気経路以外に流れるのを阻止することができ、これにより導入外気が専ら通気経路を通るようにして、換気効率をより高めることができる。
【００３２】
さらに、扉装置は、吊元側見込み壁部３Ｃの通気孔１６よりも屋内側部分と吊元側竪枠１１の吊元側屋内部材２３との間にタイト材２１を備えたことにより、屋外側から導入した外気が通気経路以外に流れるのを阻止することができ、上記した吊元側係合部１８Ｂ及び被係合部２３Ａの構成を相俟って、気密性及び換気効率のさらなる向上を実現することができる。
【００３３】
さらに、扉装置は、袖扉３の屋内側のカバー材１８を備えたことにより、億内面の意匠性をも大幅に高めることができ、しかも、カバー材１８を着脱可能としたことで、内部の清掃や開閉機構１７のメンテナンス等も容易になる。
【００３４】
さらに、扉装置は、袖扉３の戸先屋内側に断熱材２４を介して連結した戸先側屋内部材２２と、吊元側竪枠１１の屋内側に断熱材２５を介して連結した吊元側屋内部材２３を備えているので、屋内外の断熱性能がより高められ、空調の高効率化などに貢献し得る。
【００３５】
さらに、扉装置は、吊元側屋内部材２３の被係合部２３Ａを断面コ字形状としたことにより、断面コ字形状を形成する対向片の弾性変形により、カバー材１８の吊元側係合部１８Ｂの係脱を容易にすると共に、係合状態を確実に維持することができる。
【００３６】
本発明の扉装置は、その構成が上記の実施形態のみに限定されるものではなく、本発明の要旨を逸脱しない範囲で構成の細部を適宜変更することができる。また、上記実施形態では、独立した開閉機能を有する開閉機構１７を設けて、中空部１４から屋内側への通気経路を開閉するようにしたが、例えば、袖扉３の屋内側壁部３Ｂの通気孔１５やカバー材１８の開口部１９を直接開閉するような開閉機構を用いることも可能である。
【００３７】
さらに、上記実施形態では、袖扉に通風機能をもたせた場合を例示したが、同様の通風機能（通気経路）を主扉側に設けることもできる。そしてさらに、上記の実施形態では、回動操作式の主扉と袖扉を備えた玄関ドアユニットを例示したが、例えば、引戸と回動操作式の袖扉の組み合わせなども可能である。
【図面の簡単な説明】
【００３８】
【図１】本発明の扉装置の一実施形態を説明する水平断面図である。
【図２】扉装置の屋内側の正面図（ａ）及び屋外側の正面図（ｂ）である。
【図３】袖扉の屋内側壁部の正面図（ａ）、吊元側壁部の正面図（ｂ）及び袖扉とカバー材の水平断面図（ｃ）である。
【図４】カバー材の裏面の正面図（ａ）及び水平断面図（ｂ）である。
【図５】扉装置の袖扉部分の垂直断面図である。
【符号の説明】
【００３９】
３          開口部
３Ｂ        屋内側壁部
３Ｃ        吊元側見込み壁部
１１        吊元側竪枠
１３        間隙
１４        中空部
１５  １６  通気孔
１７        開閉機構
１８        カバー材
１８Ａ      戸先側係合部
１８Ｂ      吊元側係合部
１９        開口部
２１        タイト材
２２        戸先側屋内部材
２２Ａ      被係合部
２３        吊元側屋内部材
２３Ａ      被係合部
２４  ２５  断熱材
【図１】
0005080364.tif 000002
【図２】
0005080364.tif 000003
【図３】
0005080364.tif 000004
【図４】
0005080364.tif 000005
【図５】
0005080364.tif 000006